(57)【特許請求の範囲】
【請求項１】
靴を収納し、洗浄液が供給される収納室と、
前記収納室内の靴のはき口から靴の内部空間に挿入されることによってはき口が下側を向くように靴を保持し、靴の内部空間を臨む開口部を有する中空の保持部と、
前記保持部に接続されるダクトと、
前記ダクトから前記保持部の内部に空気を送り込む送風部と、 
前記ダクトの一部を収容し、前記収納室から洗浄液を回収する回収槽とを含み、
前記ダクトにおいて前記回収槽内に配置された部分には、前記保持部によって保持された靴から前記開口部および前記保持部の内部を通って前記ダクト内に到達した水分を前記回収槽へ落下させる水抜き穴が形成される、靴洗浄装置。
【請求項２】
前記開口部は、前記保持部によって保持された靴のつま先を向いて配置される、請求項１に記載の靴洗浄装置。
【請求項３】
前記保持部によって保持された靴に洗浄液を噴射する第１ノズル、第２ノズルおよび第３ノズルであって、当該靴のかかとを臨む第１ノズル、当該靴のアッパ部分を臨む第２ノズル、および、当該靴のはき口を臨む第３ノズルを含む、請求項１または２に記載の靴洗浄装置。
【請求項４】
前記送風部によって前記ダクトから前記保持部の内部に送り込まれる空気を加熱する加熱部を含む、請求項１〜３のいずれか一項に記載の靴洗浄装置。
【発明の詳細な説明】
【技術分野】
【０００１】
この発明は、靴洗浄装置に関する。
【背景技術】
【０００２】
下記特許文献１で開示された靴洗浄機では、外槽内に配置された内槽の底部中央に、上下に延びる回転軸が回転自在に設けられる。回転軸の下部には、円形のヨク（いわゆるパルセータ）が一体的に設けられる。回転軸の周側面には、内槽の内面近くまで横向きの突出する主ブラシが上下に亘って設けられ、ヨク上には上向きに突出する補助ブラシが設けられる。内槽に給水されて靴が回転軸と内槽の内面との間に入れられた状態で回転軸が反転すると、この靴は、主ブラシおよび補助ブラシに擦られることによって洗われる。その後、内槽および回転軸が同時に高速回転することによって靴が脱水される。
【先行技術文献】
【特許文献】
【０００３】
【特許文献１】実開昭６２−１２０９５６号公報
【発明の概要】
【発明が解決しようとする課題】
【０００４】
特許文献１の靴洗浄機では、脱水のために内槽および回転軸が高速回転する際に、靴が靴底を内槽の内面に向けた状態にあると、遠心力が作用した水分が靴底に遮られることによって靴から染み出しにくいので、脱水が不十分になる。これでは、脱水後の靴を靴洗浄機から取り出したときに、靴に溜まった水が靴からこぼれ落ちて周囲を濡らす虞がある。
【０００５】
この発明は、かかる背景のもとでなされたもので、洗浄後の靴を効果的に脱水できる靴洗浄装置を提供することを目的とする。
【課題を解決するための手段】
【０００６】
本発明は、靴を収納し、洗浄液が供給される収納室と、前記収納室内の靴のはき口から靴の内部空間に挿入されることによってはき口が下側を向くように靴を保持し、靴の内部空間を臨む開口部を有する中空の保持部と、前記保持部に接続されるダクトと、前記ダクトから前記保持部の内部に空気を送り込む送風部とを含む、靴洗浄装置である。
【０００７】
また、本発明は、前記開口部は、前記保持部によって保持された靴のつま先を向いて配置されることを特徴とする。
【０００８】
また、本発明は、前記収納室から洗浄液を回収する回収槽を含み、前記ダクトには、前記保持部によって保持された靴から前記開口部および前記保持部の内部を通って前記ダクト内に到達した水分を前記回収槽へ落下させる水抜き穴が形成されることを特徴とする。
【０００９】
また、本発明は、前記送風部によって前記ダクトから前記保持部の内部に送り込まれる空気を加熱する加熱部を含むことを特徴とする。
【発明の効果】
【００１０】
本発明によれば、靴洗浄装置では、収納室に収納された靴が、収納室に供給された洗浄液によって洗浄される。収納室内では、中空の保持部が、靴のはき口から靴の内部空間に挿入されることによって、はき口が下側を向くように靴を保持する。この状態で、保持部の開口部は、靴の内部空間を臨む。靴洗浄装置では、送風部が、保持部に接続されたダクトから保持部の内部に空気を送り込む。保持部の内部に送り込まれた空気は、開口部から靴の内部空間に勢いよく流入し、その際、靴から洗浄液などの水分を染み出させる。染み出た水分は、下側を向いたはき口からこぼれ落ちる。そのため、保持部の開口部から靴の内部空間に繰り返し空気を流入させることによって、洗浄後の靴を内部空間側から効果的に脱水できる。
【００１１】
また、本発明によれば、保持部の開口部は、保持部によって保持された靴のつま先を向いて配置される。これにより、保持部の開口部から靴の内部空間に流入した空気は、内部空間の全体に行き渡って靴の全体から水分を染み出させるので、洗浄後の靴を一層効果的に脱水できる。
【００１２】
また、本発明によれば、収納室から洗浄液を回収する回収槽を含む構成において、保持部によって保持された靴から保持部の開口部および保持部の内部を通ってダクト内に到達した水分を、ダクトに形成された水抜き穴から回収槽へ落下させることができる。これにより、靴から染み出た水分を再び靴に付着しないように回収槽で回収できるので、洗浄後の靴を一層効果的に脱水できる。
【００１３】
また、本発明によれば、加熱部によって加熱された空気がダクトから保持部の内部に送り込まれるので、この空気は、保持部の開口部から靴の内部空間に流入したり、収納室に充満して靴の外部に浴びせられたりすることによって、靴を乾燥させることができる。
【図面の簡単な説明】
【００１４】
【図１】図１は、この発明の実施形態に係る靴洗浄装置の模式的な平面図である。
【図２】図２は、靴洗浄装置の模式的な正面図である。
【図３】図３は、靴洗浄装置の模式的な縦断面右側面図である。
【図４】図４は、変形例に係る靴洗浄装置の模式的な正面図である。
【図５】図５は、変形例に係る靴洗浄装置の模式的な縦断面右側面図である。
【発明を実施するための形態】
【００１５】
以下には、図面を参照して、この発明の実施形態について具体的に説明する。図１は、この発明の実施形態に係る靴洗浄装置１の模式的な平面図である。以下では、図１における左右方向を靴洗浄装置１の左右方向Ｘといい、図１における上下方向を靴洗浄装置１の前後方向Ｙといい、図１の紙面に直交する方向を靴洗浄装置１の上下方向Ｚという。左右方向Ｘは、図１の左側に相当する左側Ｘ１と、図１の右側に相当する右側Ｘ２とを含む。前後方向Ｙは、図１の下側に相当する前側Ｙ１と、図１の上側に相当する後側Ｙ２とを含む。上下方向Ｚは、図１の紙面における手前側に相当する上側Ｚ１と、図１の紙面における奥側に相当する下側Ｚ２とを含む。左右方向Ｘおよび前後方向Ｙは、水平方向に含まれ、上下方向Ｚは、垂直方向と同じである。
【００１６】
図１を参照して、靴洗浄装置１は、略直方体のボックス状の外観を有する。靴洗浄装置１は、その外殻をなす筐体２と、筐体２内に設けられた収納室３、保持部４、噴射機構５、ノズル６、ダクト７、送風部８および加熱部９（後述する図２参照）とを含む。説明の便宜上、図１および図１以降の各図では、筐体２だけが、ハッチングが付された断面図として図示され、筐体２以外の各部材は、側面図として図示される。
【００１７】
筐体２は、左壁１５と、右壁１６と、前壁１７と、後壁１８と、底壁１９と、天壁２０（図２参照）、第１仕切壁２１と、第２仕切壁２２とを一体的に含む。左壁１５と右壁１６とは、左右方向Ｘに薄くて上下方向Ｚに沿う略矩形の板状に形成され、左右方向Ｘに間隔を隔てて対向配置される。左壁１５の下端部には、左壁１５を左右方向Ｘに貫通する出口２３が形成される。右壁１６には、右壁１６を左右方向Ｘに貫通する吸気口２４が形成される。吸気口２４には、格子２５が取り付けられる。前壁１７および後壁１８は、前後方向Ｙに薄くて上下方向Ｚに沿う略矩形の板状に形成され、前壁１７は、左壁１５および右壁１６の前端間に架設され、後壁１８は、左壁１５および右壁１６の後端間に架設される。後壁１８には、後壁１８を前後方向Ｙに貫通する排気口２６が形成される。なお、説明の便宜上、図１では、出口２３、吸気口２４および排気口２６が同じ高さ位置にあるように図示されるが、実際の出口２３は、図１では図示されない位置にあり、吸気口２４および排気口２６の互いの高さ位置は一致しなくてもよい。また、説明の便宜上、図２以降の各図では、出口２３、吸気口２４および排気口２６のそれぞれの位置が、図１での位置と異なる場合がある。
【００１８】
底壁１９は、上下方向Ｚに薄くて水平に延びる略矩形の板状に形成され、底壁１９の四辺のそれぞれは、左壁１５、右壁１６、前壁１７および後壁１８のいずれかの下端に接続される（図２および後述する図３参照）。これにより、底壁１９は、左壁１５と右壁１６と前壁１７と後壁１８とによって囲まれた空間を下側Ｚ２から塞ぐ。底壁１９の下面の四隅には、靴洗浄装置１が載置される床面に接触する脚部２７が１つずつ設けられる（図２参照）。天壁２０は、上下方向Ｚに薄くて水平に延びる略矩形の板状に形成され、天壁２０の四辺のそれぞれは、左壁１５、右壁１６、前壁１７および後壁１８のいずれかの上端に接続される（図２および図３参照）。これにより、天壁２０は、左壁１５と右壁１６と前壁１７と後壁１８とによって囲まれた空間を上側Ｚ１から塞ぐ。
【００１９】
第１仕切壁２１は、左右方向Ｘに薄くて上下方向Ｚに沿う略矩形の板状に形成され、左壁１５と右壁１６との間に配置される。第１仕切壁２１は、前壁１７において右側Ｘ２へ偏った位置と後壁１８において右側Ｘ２へ偏った位置との間に架設される。第１仕切壁２１の下端は、底壁１９から上側Ｚ１へ離されて配置される（図２参照）。第２仕切壁２２は、上下方向Ｚに薄くて略矩形の板状に形成され、第１仕切壁２１の下端と上下方向Ｚで同じ位置において水平に延び、第１仕切壁２１の下端と左壁１５との間に架設され、前壁１７と後壁１８との間に架設される（図２および図３参照）。図１では、第２仕切壁２２の下側Ｚ２に位置する部材が、説明の便宜上、破線または１点鎖線で図示される。平面視における第２仕切壁２２の略中央には、第２仕切壁２２を上下方向Ｚに貫通する左右方向Ｘに長手の流入口２８が形成される。
【００２０】
図２は、靴洗浄装置１の模式的な正面図である。図２を参照して、収納室３は、左壁１５と第１仕切壁２１と前壁１７と後壁１８と第２仕切壁２２と天壁２０とによって囲まれた略直方体状の空間である。天壁２０は、収納室３の天井を構成する。収納室３は、靴洗浄装置１での洗浄対象である一足の靴Ｓを、余裕を持って収納できる広さを有する。なお、筐体２におけるいずれかの壁、たとえば、前壁１７や天壁２０には、収納室３に対して靴Ｓを出し入れするための出入口（図示せず）と、この出入口を開閉する扉（図示せず）とが設けられる。後壁１８の排気口２６が、収納室３に後側Ｙ２から連通し（図１参照）、第２仕切壁２２の流入口２８が、収納室３に下側Ｚ２から連通する。収納室３内には、給水路２９が設けられる。給水路２９では、一端部２９Ａが、天壁２０を貫通して蛇口（図示せず）につながり、他端部２９Ｂには、収納室３内を上側Ｚ１から臨む給水口２９Ｃが形成される。給水路２９の途中には、開閉可能な給水弁３０が設けられる。なお、図２以外の各図では、給水路２９および給水弁３０の図示が省略される。
【００２１】
筐体２の内部空間は、収納室３以外に、縦空間３１および横空間３２を含む。縦空間３１は、前壁１７、後壁１８、底壁１９および天壁２０のそれぞれにおける右側Ｘ２の部分と、右壁１６と第１仕切壁２１とによって囲まれた略縦長の空間である。横空間３２は、前壁１７、後壁１８および底壁１９のそれぞれにおける左側Ｘ１の部分と、左壁１５における下側Ｚ２の部分と、第２仕切壁２２とによって囲まれた略横長の空間であり、縦空間３１の下端部から連続して左側Ｘ１に延び、収納室３の真下に配置される。
【００２２】
保持部４は、一足の靴Ｓに応じて、２つ設けられる。２つの保持部４は、第２仕切壁２２において流入口２８よりも後側Ｙ２の領域で、左右方向Ｘに並んで配置される（図１も参照）。それぞれの保持部４は、開口部３３を有する中空体であり、この実施形態における保持部４は、第２仕切壁２２から上側Ｚ１に延びるパイプ状に形成され、その上端に開口部３３が設けられる。保持部４の上端において開口部３３を縁取る周縁部４Ａは、上側Ｚ１へ向かうにつれて後側Ｙ２にずれるように傾斜して形成される（図３参照）。
【００２３】
噴射機構５は、回収槽３５と、流路３６と、ポンプ３７とを含む。回収槽３５は、横空間３２に収まる大きさを有する略直方体状のタンクであり、第２仕切壁２２に対して下側Ｚ２から固定される。第２仕切壁２２の流入口２８は、回収槽３５の内部に対して上側Ｚ１から連通した状態にある。回収槽３５の下端部には、排水口３８および流出口３９が形成される。
【００２４】
排水口３８には、排水路４０の一端部４０Ａが接続され、排水路４０の他端部４０Ｂは、左壁１５の出口２３に接続される。他端部４０Ｂは、出口２３から筐体２の外、つまり、靴洗浄装置１の機外へ引き出されてもよい。排水路４０の途中には、開閉可能な排水弁４１が設けられる。排水弁４１を閉じた状態で給水弁３０を開くと、蛇口からの水が、給水路２９を通って給水口２９Ｃから収納室３内に流れ落ち、流入口２８を通って回収槽３５内に溜まる。なお、図２における回収槽３５内の波線は、回収槽３５内に溜まった水の水面Ｗである。水が回収槽３５内に溜まった状態で排水弁４１を開くと、回収槽３５内の水は、排水路４０を通って他端部４０Ｂから機外へ排出される。
【００２５】
図３は、靴洗浄装置１の模式的な縦断面右側面図である。図１および図２とともに図３も参照して、流路３６は、流出路５０と、第１分岐路５１と、第２分岐路５２と、第３分岐路５３とを含む管状に形成される。
【００２６】
流出路５０は、横空間３２において回収槽３５の周囲に配置される。流出路５０の一端部５０Ａは、回収槽３５の流出口３９に接続される。流出路５０は、一端部５０Ａから延びて回収槽３５の後側Ｙ２に回り込み、流出路５０の他端部５０Ｂは、回収槽３５の後側Ｙ２において上側Ｚ１へ延び、第１分岐路５１と第２分岐路５２とに分岐する。
【００２７】
第１分岐路５１は、その一端部５１Ａが流出路５０の他端部５０Ｂに接続された状態で、回収槽３５の後壁３５Ａを貫通して回収槽３５内で第２仕切壁２２の流入口２８まで前側Ｙ１へ水平に延びる。後壁３５Ａにおける第１分岐路５１の周囲と第１分岐路５１との隙間は、パッキン（図示せず）などによって塞がれるので、この隙間から回収槽３５内の水分が漏れ出すことが防止される。第１分岐路５１の他端部５１Ｂは、略直角に折れ曲がって上側Ｚ１へ延びる縦部分５１Ｃと、縦部分５１Ｃにおいて流入口２８から上側Ｚ１へはみ出した上端部から左右方向Ｘにおける両外側へ延びる横部分５１Ｄ（図１も参照）とを含む。左右方向Ｘにおける横部分５１Ｄの中央部に、縦部分５１Ｃの上端部が接続される。
【００２８】
第２分岐路５２は、流出路５０の他端部５０Ｂから第２仕切壁２２を貫通して上側Ｚ１へ延びる根元部分５２Ａと、根元部分５２Ａの上端部から左右方向Ｘにおける両外側へ延びる横部分５２Ｂと、横部分５２Ｂから天壁２０の手前まで延びる３つの縦部分５２Ｃとを含む（図２も参照）。横部分５２Ｂは、収納室３の下端部において後壁１８沿いの領域に配置され、左右方向Ｘにおける横部分５２Ｂの中央部に、根元部分５２Ａの上端部が接続される。３つの縦部分５２Ｃは、左右方向Ｘにおける横部分５２Ｂの中央部および両端部のそれぞれから１つずつ上側Ｚ１へ延びる。
【００２９】
第３分岐路５３は、第２分岐路５２の横部分５２Ｂから分岐し、前側Ｙ１へ水平に延びる。第３分岐路５３は、左右方向Ｘに並んで２つ設けられる。左側Ｘ１の第３分岐路５３では、一端部５３Ａが、横部分５２Ｂの左端部と中央部との間の領域に接続され、他端部５３Ｂが、左側Ｘ１の保持部４に対して後側Ｙ２から間隔を隔てて対向配置される（図１参照）。右側Ｘ２の第３分岐路５３では、一端部５３Ａが、横部分５２Ｂの右端部と中央部との間の領域に接続され、他端部５３Ｂが、右側Ｘ２の保持部４に対して後側Ｙ２から間隔を隔てて対向配置される（図１参照）。
【００３０】
ポンプ３７は、回転するインペラ（図示せず）を内蔵する渦巻ポンプなどであり、流出路５０の途中に設けられる。ノズル６は、複数設けられ、収納室３内に配置される。この実施形態におけるノズル６の個数は、１４個である。１４個のノズル６は、第１分岐路５１に設けられた３つの第１ノズル６Ａと、第２分岐路５２に設けられた９つの第２ノズル６Ｂと、第３分岐路５３に設けられた２つの第３ノズル６Ｃとを含む（図１および図２も参照）。第１ノズル６Ａは、第１分岐路５１の横部分５１Ｄの後側面において左右方向Ｘにおける中央部および両端部のそれぞれに１つずつ設けられ、後側Ｙ２を臨む（図１参照）。第２ノズル６Ｂは、第２分岐路５２の各縦部分５２Ｃの前側面において上下方向Ｚにおける中央部および両端部のそれぞれに１つずつ設けられ、前側Ｙ１を臨む（図２参照）。第３ノズル６Ｃは、各第３分岐路５３の他端部５３Ｂの上側面に１つずつ設けられ、上側Ｚ１を臨む（図１参照）。このように、第１分岐路５１、第２分岐路５２および第３分岐路５３を含む流路３６は、回収槽３５とそれぞれのノズル６とをつなぐ。
【００３１】
図２を参照して、ダクト７は、縦空間３１内で右壁１６沿いに上下方向Ｚに延びる縦ダクト６０と、縦ダクト６０の下端部から右壁１６沿いに後側Ｙ２へ延びる第１横ダクト６１と、第１横ダクト６１の後端部から左側Ｘ１へ延びる第２横ダクト６２とを含む（図１も参照）。右壁１６の吸気口２４は、縦ダクト６０の内部に右側Ｘ２から連通する。縦ダクト６０の下端部は、メインダクト６０Ａと、バイパスダクト６０Ｂとに分岐し、メインダクト６０Ａおよびバイパスダクト６０Ｂのそれぞれが、第１横ダクト６１に対して上側Ｚ１から接続される。
【００３２】
第２横ダクト６２における左側部分６２Ａは、１点鎖線で示すように、回収槽３５の右壁３５Ｂを貫通し、回収槽３５内において２つの保持部４の真下に配置される。右壁３５Ｂにおける左側部分６２Ａの周囲と左側部分６２Ａとの隙間は、パッキン（図示せず）などによって塞がれるので、この隙間から回収槽３５内の水分が漏れ出すことが防止される。左側部分６２Ａは、それぞれの保持部４に対して下側Ｚ２から接続され、それぞれの保持部４の内部と左側部分６２Ａの内部とは、互いに連通した状態にある。左側部分６２Ａの底には、回収槽３５の内部を上側Ｚ１から臨む水抜き穴６２Ｂが形成される。
【００３３】
送風部８は、いわゆるファンであり、縦ダクト６０の上端部に対して左側Ｘ１から固定されるモータ６５と、縦ダクト６０の内部の上端部に配置される回転羽根６６とを含む。モータ６５は、右側Ｘ２へ突出して縦ダクト６０の内部の上端部に配置された出力軸６７を有する。回転羽根６６は、複数設けられ、出力軸６７から放射状に広がるように出力軸６７に固定される。
【００３４】
加熱部９は、電熱線などで構成されたヒータであり、メインダクト６０Ａに配置される。メインダクト６０Ａの内面には、加熱部９に係合して加熱部９をメインダクト６０Ａ内で位置決めする爪状の位置決め部６８が設けられる。
【００３５】
筐体２内において、たとえば縦空間３１には、マイクロコンピュータなどで構成された制御部７０が設けられる。また、筐体２の外表面には、使用者によって操作されるボタンなどで構成された操作部（図示せず）が設けられる。制御部７０は、配線（図示せず）によって、この操作部、送風部８、加熱部９、給水弁３０、ポンプ３７および排水弁４１のそれぞれに対して電気的に接続される。そのため、制御部７０は、使用者による操作部の操作を受け付けたり、送風部８、加熱部９およびポンプ３７の動作を制御したり、給水弁３０および排水弁４１のそれぞれを開閉したりすることができる。
【００３６】
次に、靴洗浄装置１において実行される靴Ｓの洗浄運転について説明する。洗浄運転は、洗剤が混じった洗浄液によって靴Ｓを洗浄して、その後に靴Ｓをすすぐ洗浄工程と、洗浄工程の後に靴Ｓを脱水して乾燥させる脱液工程とを含む。
【００３７】
洗浄運転の開始に先立って、使用者は、前述した扉（図示せず）を開いて、一足の靴Ｓを収納室３に収納する。その際、図３を参照して、使用者は、収納室３に収納された一足の靴Ｓのそれぞれについて、保持部４を、靴Ｓのはき口ＳＨから靴Ｓの内部空間ＳＮに対して下側Ｚ２から１つずつ挿入させる。これにより、収納室３内では、一足の靴Ｓが左右方向Ｘに並び、それぞれの保持部４は、はき口ＳＨが下側Ｚ２を向くように靴Ｓを縦向きの姿勢で保持する。この状態では、保持部４の上端の開口部３３は、靴Ｓの内部空間ＳＮを臨む。詳しくは、開口部３３は、保持部４によって保持された靴Ｓのつま先ＳＴを向いて配置される。なお、縦向きの姿勢の靴Ｓは、直立状態であってもよいし、図３に示すように、つま先ＳＴがかかとＳＫよりも後側Ｙ２にずれるように若干傾いた状態にあってもよい。
【００３８】
靴Ｓが収納室３に収納された状態において、第１ノズル６Ａは、靴ＳのかかとＳＫを前側Ｙ１から臨み、第２ノズル６Ｂは、靴Ｓにおいて足の甲を覆うアッパ部分ＳＵを後側Ｙ２から臨み、第３ノズル６Ｃは、靴Ｓのはき口ＳＨを下側Ｚ２から臨む。
【００３９】
以上のように靴Ｓを収納室３に収納した使用者は、前述した扉（図示せず）を閉じて収納室３を密閉した後に、操作部（図示せず）を操作することによって、靴洗浄装置１に対して洗浄運転の開始を指示する。すると、制御部７０は、洗い工程を開始して、排水弁４１を閉じた状態で給水弁３０を開く。これによって、前述したように、蛇口（図示せず）からの水、厳密には水道水が、給水路２９、収納室３および流入口２８を通って回収槽３５内に溜まる。つまり、靴洗浄装置１では、回収槽３５への給水が行われる。回収槽３５内の水面Ｗが所定水位まで達すると、制御部７０は、給水弁３０を閉じて給水を停止する。給水の前後のタイミングに使用者によって洗剤が収納室３に投入されたり、給水に際に給水路２９に接続された洗剤収容室（図示せず）に収容された洗剤が水道水に乗ったりする。これによって、回収槽３５には、水道水に洗剤が溶けることで生成された洗浄液が溜まる。なお、筐体２の後壁１８の排気口２６には、板状の対向部７５が前側Ｙ１から対向配置されるので、収納室３で跳ねた水道水や洗浄液が排気口２６に到達して排気口２６から機外に漏れることが防止される。
【００４０】
次に、制御部７０は、ポンプ３７を駆動させる。これにより、回収槽３５の洗浄液は、流路３６を流れて第１分岐路５１、第２分岐路５２および第３分岐路５３のそれぞれに行き渡り、太い実線矢印で示すように、第１ノズル６Ａ、第２ノズル６Ｂおよび第３ノズル６Ｃから収納室３内に供給されて収納室３内の靴Ｓに高圧で噴射される。洗浄液が噴射された靴Ｓは、高圧噴射の勢いによって泥などの汚れが除去されたり、洗浄液によって汚れが化学的に分解されたりすることによって洗浄される。特に、第１ノズル６Ａから靴Ｓに噴射された洗浄液によって靴ＳのかかとＳＫの全域が洗浄され、第２ノズル６Ｂから靴Ｓに噴射された洗浄液によって靴Ｓのアッパ部分ＳＵの全域が洗浄され、第３ノズル６Ｃから靴Ｓに噴射された洗浄液によって靴Ｓのはき口ＳＨの周囲および内部空間ＳＮの全域が洗浄される。
【００４１】
このように、靴洗浄装置１では、靴Ｓをブラシなどで擦らなくても、それぞれのノズル６から噴射された高圧の洗浄液によって、靴Ｓをブラシなどで擦り洗いする場合と同等の洗浄力を維持しつつ、傷みが生じないように靴Ｓの全体を万遍なく洗浄できる。また、収納室３内の靴Ｓが保持部４によって縦向きの姿勢で保持されるので、ノズル６から靴Ｓに噴射された洗浄液だけでなく、靴Ｓの表面を流れ落ちる洗浄液によっても靴Ｓを洗浄できる。また、収納室３内の靴Ｓは、無理に動かされることなく、保持部４によって保持された静止状態で洗浄されるので、変形が生じないように靴Ｓを洗浄できる。
【００４２】
ノズル６から収納室３内の靴Ｓに噴射された後に靴Ｓからこぼれた洗浄液や、ノズル６から収納室３内に噴射されたものの靴Ｓにかからなかった洗浄液は、流入口２８を通って回収槽３５内に落下し、回収槽３５によって回収される。第３ノズル６Ｃから靴Ｓの内部空間ＳＮに噴射された洗浄液のうち、内部空間ＳＮから保持部４の上端の開口部３３を通って保持部４の内部に進入した洗浄液は、自重によって、保持部４の内部からダクト７の第２横ダクト６２内に到達した後に、第２横ダクト６２の底の水抜き穴６２Ｂから回収槽３５に落下する。
【００４３】
ポンプ３７が引き続き駆動されるので、回収槽３５に回収された洗浄液は、流路３６を流れて第１ノズル６Ａ、第２ノズル６Ｂおよび第３ノズル６Ｃから収納室３内へ噴射される。これによって、洗浄液は、収納室３と回収槽３５との間で循環する。そのため、少ない洗浄液でも、循環させて繰り返し使用することによって靴Ｓを洗浄できる。制御部７０は、このような洗浄液の循環を所定時間継続した後に、ポンプ３７を停止させて、排水弁４１を開く。これにより、収納室３および回収槽３５の洗浄液が排水路４０を通って機外へ排出される。その後、制御部７０は、排水弁４１を閉じる。
【００４４】
次に、制御部７０は、給水弁３０を所定時間だけ開いて回収槽３５に所定水位まで水道水を溜めてから、ポンプ３７を駆動させる。これによって、水道水が収納室３と回収槽３５との間で循環し、それぞれのノズル６から収納室３内の靴Ｓに水道水が高圧で噴射されることによって、収納室３内の靴Ｓがすすがれる。すすぎの際に靴Ｓの内部空間ＳＮから保持部４の上端の開口部３３を通って保持部４の内部に進入した水分は、前述したように、第２横ダクト６２に到達した後に、第２横ダクト６２の底の水抜き穴６２Ｂから回収槽３５内に落下する。
【００４５】
制御部７０は、このような水道水の循環を所定時間継続した後に、ポンプ３７の駆動を停止させて、排水弁４１を所定時間だけ開く。これにより、収納室３および回収槽３５の水が排水路４０を通って機外へ排出されるとともに、自然放置された靴Ｓから染み出した水分も機外へ排出される。当該所定時間が経過すると、洗浄工程が終了する。
【００４６】
洗浄工程の後、制御部７０は、送風部８を駆動させて回転羽根６６を回転させることによって、脱液工程を開始する。これにより、図２を参照して、機外の空気が、筐体２の吸気口２４からダクト７内に取り込まれる。ダクト７内に取り込まれた空気は、回転羽根６６の回転によって、縦ダクト６０、第１横ダクト６１および第２横ダクト６２の順番でダクト７内を勢いよく流れ、ダクト７からそれぞれの保持部４の内部に送り込まれる。
【００４７】
保持部４の内部に送り込まれた空気は、回転羽根６６によって加圧された高圧の状態で、保持部４の上端の開口部３３から靴Ｓの内部空間ＳＮに勢いよく流入し、その際、靴Ｓから洗浄液などの水分を染み出させる。染み出た水分は、下側Ｚ２を向いたはき口ＳＨ（図３を参照）からこぼれ落ちる。そのため、保持部４の開口部３３から靴Ｓの内部空間ＳＮに繰り返し空気を流入させることによって、洗浄後の靴Ｓを内部空間ＳＮ側から効果的に脱水できる。特に、開口部３３は、保持部４によって保持された靴Ｓのつま先ＳＴを向いて配置される。これにより、保持部４の開口部３３から靴Ｓの内部空間ＳＮに流入した空気は、内部空間ＳＮの全体に行き渡って靴Ｓの全体から水分を染み出させるので、洗浄後の靴Ｓを一層効果的に脱水できる。内部空間ＳＮに吐き出された空気は、最終的に、はき口ＳＫから靴Ｓの外の収納室３内に流出し、筐体２の後壁１８の排気口２６（図３を参照）から機外へ排出される。
【００４８】
靴Ｓの内部空間ＳＮから保持部４の上端の開口部３３を通って保持部４の内部に進入した水分は、前述したように、第２横ダクト６２内に到達した後に、第２横ダクト６２の底の水抜き穴６２Ｂから回収槽３５内に落下する。これにより、靴Ｓから染み出た水分を再び靴Ｓに付着しないように回収槽３５で回収できるので、洗浄後の靴Ｓを一層効果的に脱水できる。
【００４９】
回転羽根６６の回転が開始されてから所定時間が経過すると、制御部７０は、回転羽根６６の回転を継続させた状態で、加熱部９をＯＮにする。これにより、送風部８によってダクト７からそれぞれの保持部４の内部に送り込まれる空気が、縦ダクト６０のメインダクト６０Ａを通過する際に、メインダクト６０Ａにおける加熱部９によって加熱される。これにより、加熱された空気が、熱風となって保持部４の開口部３３から靴Ｓの内部空間ＳＮに流入するので、この熱風によって靴Ｓを内側から乾燥させることができる。また、この熱風は、収納室３内に充満することによって、靴Ｓを外側からも乾燥させる。なお、縦ダクト６０のバイパスダクト６０Ｂを通過した空気が、メインダクト６０Ａで加熱された空気と第１横ダクト６１で合流することによって、保持部４の開口部３３から流出した熱風が必要以上に高温になることが防止される。
【００５０】
制御部７０は、加熱部９をＯＮにしてから所定時間が経過すると、送風部８を停止させるとともに加熱部９をＯＦＦにして、脱液工程を終了する。これにより、一連の洗浄運転が終了する。洗浄運転の終了後には、使用者は、前述した扉（図示せず）を開いて、洗浄後の乾燥した靴Ｓを収納室３から取り出す。
【００５１】
以上のように、この靴洗浄装置１では、最初に靴Ｓを収納室３に収納して保持部４に保持させると、その後は、収納室３内で靴Ｓを移動させなくても、一連の洗浄運転を実施できる。
【００５２】
この発明は、以上に説明した実施形態に限定されるものではなく、請求項に記載の範囲内において種々の変更が可能である。
【００５３】
図４は、変形例に係る靴洗浄装置１の模式的な正面図である。図５は、変形例に係る靴洗浄装置１の模式的な縦断面右側面図である。図４および図５において、図１〜図３で説明した部分と同一の部分には同一番号を付して、当該部分についての説明は省略する。
【００５４】
図４および図５に示す変形例では、それぞれの保持部４は、開口部３３が設けられた先端部４Ｂが、図５に示すように、前側Ｙ１へ略直角に折り曲げるように形成される。流路３６における流出路５０の他端部５０Ｂは、保持部４よりも後側Ｙ２において第２仕切壁２２を貫通して収納室３内に下側Ｚ２からはみ出して配置される。前述した第１分岐路５１は、その一端部５１Ａが流出路５０の他端部５０Ｂに接続された状態で、天壁２０の手前まで上側Ｚ１へ垂直に延びる。第１分岐路５１では、その上端部をなす他端部５１Ｂが、左右方向Ｘにおける横部分５１Ｄの中央部に接続される。第１ノズル６Ａは、横部分５１Ｄの前側面において左右方向Ｘにおける中央部および両端部のそれぞれに１つずつ設けられ、前側Ｙ１を臨む（図４も参照）。
【００５５】
前述した第２分岐路５２では、根元部分５２Ａが流出路５０の他端部５０Ｂから前側Ｙ１へ延び、横部分５２Ｂが、保持部４の先端部４Ｂの下側Ｚ２において、根元部分５２Ａの前端部から左右方向Ｘにおける両外側へ延びる。変形例の第２分岐路５２は、前述した３つの縦部分５２Ｃ（図２参照）の代わりに、横部分５２Ｂから前壁１７の手前まで延びる３つの横部分５２Ｄを含む。３つの横部分５２Ｄは、左右方向Ｘにおける横部分５２Ｂの中央部および両側部のそれぞれから１つずつ前側Ｙ１へ延びる（図４参照）。第２ノズル６Ｂは、各横部分５２Ｄの上側面において前後方向Ｙにおける中央部および両端部のそれぞれに１つずつ設けられ、上側Ｚ１を臨む。
【００５６】
第３分岐路５３は、左右方向Ｘに並んで２つ設けられ、第２分岐路５２の横部分５２Ｂから分岐して上側Ｚ１へ垂直に延びる。左側Ｘ１の第３分岐路５３では、一端部５３Ａが、横部分５２Ｂの左端部と中央部との間の領域に接続され、他端部５３Ｂが、左側Ｘ１の保持部４に対して前側Ｙ１から間隔を隔てて対向配置されるとともに、この保持部４の先端部４Ｂに対して下側Ｚ２から間隔を隔てて対向配置される（図４も参照）。右側Ｘ２の第３分岐路５３では、一端部５３Ａが、横部分５２Ｂの右端部と中央部との間の領域に接続され、他端部５３Ｂが、右側Ｘ２の保持部４に対して前側Ｙ１から間隔を隔てて対向配置されるとともに、この保持部４の先端部４Ｂに対して下側Ｚ２から間隔を隔てて対向配置される（図４も参照）。第３ノズル６Ｃは、各第３分岐路５３の他端部５３Ｂに１つずつ設けられ、上側Ｚ１を臨む。
【００５７】
変形例の靴洗浄装置１において洗浄運転を実行する場合には、使用者は、靴Ｓを収納室３に収納する際に、それぞれの保持部４において前側Ｙ１に折れ曲がった先端部４Ｂを、靴Ｓのはき口ＳＨから下側Ｚ２から挿通させた後に、つま先ＳＴを向くように靴Ｓの内部空間ＳＮに挿入させる。これにより、収納室３内では、一足の靴Ｓが左右方向Ｘに並び、それぞれの保持部４は、つま先ＳＴが前側Ｙ１を向いてはき口ＳＨが下側Ｚ２を向くように靴Ｓを水平になった横向きの姿勢で保持する。これにより、収納室３の高さ寸法Ｈを小さく抑えることができるので、靴洗浄装置１を上下方向Ｚにおいてコンパクトに構成できる。
【００５８】
変形例の靴洗浄装置１では、靴Ｓが収納室３に収納された状態において、第１ノズル６Ａは、靴ＳのかかとＳＫを後側Ｙ２から臨み、第２ノズル６Ｂは、靴Ｓのアッパ部分ＳＵを下側Ｚ２から臨み、第３ノズル６Ｃは、靴Ｓのはき口ＳＨを下側Ｚ２から臨む。この状態で洗浄運転が実行されると、第１ノズル６Ａから靴Ｓに噴射された洗浄液によって靴ＳのかかとＳＫの全域が洗浄され、第２ノズル６Ｂから靴Ｓに噴射された洗浄液によって靴Ｓのアッパ部分ＳＵの全域が洗浄され、第３ノズル６Ｃから靴Ｓに噴射された洗浄液によって靴Ｓのはき口ＳＨの周囲および内部空間ＳＮの全域が洗浄される。
【００５９】
変形例の靴洗浄装置１では、保持部４は、横向きの姿勢の靴Ｓを、その靴底ＳＺが上側Ｚ１を向くように保持する。この場合の洗浄工程では、第２ノズル６Ｂなどから上向きに噴射されて収納室３の天壁２０に当たって落下する洗浄液によって靴底ＳＺを効率的に洗浄できる。
【００６０】
また、靴洗浄装置１は、前述した実施形態では単独の装置として存在するが、洗濯機などのランドリ機器に組み込まれて使用されてもよい。その場合、靴洗浄装置１では、給水路２９がランドリ機器の給水路に接続されて、排水路４０がランドリ機器の排水路に接続されてもよい。また、靴洗浄装置１の制御部７０は、ランドリ機器の制御部から指示を受けることによって洗浄運転を実行してもよい。なお、靴洗浄装置１がランドリ機器の下部や上部に配置されることを想定した場合には、ランドリ機器の縦寸法を小さく抑えるために、靴洗浄装置１では、前述した変形例のように靴Ｓが横向きの姿勢で保持されることが望ましい。
【００６１】
また、第３分岐路５３において第３ノズル６Ｃが設けられた他端部５３Ｂは、保持部４の内部に通されて、第３ノズル６Ｃは、保持部４の開口部３３からはみ出して配置されてもよい。これにより、第３ノズル６Ｃは、洗浄液を確実に靴Ｓの内部空間ＳＮに噴射できる。
【００６２】
また、収納室３から回収槽３５に向けて洗浄液を落下させる流入口２８には、洗浄液に含まれる異物を捕獲するためのフィルタが設けられてもよい。同様の目的のために、流路３６における流出路５０において回収槽３５の流出口３９に接続される一端部５０Ａに、ストレーナを設けてもよい。ストレーナは、流出口３９から回収槽３５内にはみ出して配置されてもよい。
【００６３】
また、ダクト７や回収槽３５や流路３６などの形状、大きさおよびレイアウトは、任意に変更可能である。また、ダクト７における送風部８や加熱部９の位置も変更可能である。また、給水路２９では、他端部２９Ｂが回収槽３５に接続されて、給水口２９Ｃが回収槽３５内を臨むように配置されてもよい。これにより、給水路２９から回収槽３５内に直接給水できる。
【符号の説明】
【００６４】
１      靴洗浄装置
３      収納室
４      保持部
７      ダクト
８      送風部
９      加熱部
３３    開口部
３５    回収槽
６２Ｂ  水抜き穴
Ｓ      靴
ＳＨ    はき口
ＳＮ    内部空間
ＳＴ    つま先
Ｚ２    下側
【図１】
0006611548.tif 000002
【図２】
0006611548.tif 000003
【図３】
0006611548.tif 000004
【図４】
0006611548.tif 000005
【図５】
0006611548.tif 000006